(57)【要約】【課題】設置スペースの大型化の防止および部品点数の低減が可能な構成を備えた循環式簡易トイレを提供する。【解決手段】本発明は、基台２上にトイレ部３及び処理部４を互いが隔てられるようにして隣接配置し、前記トイレ部３は、便器５から排出される汚水を回収する汚水槽７と、浄化された浄水を便器５に給水する前に貯蔵する貯水槽６とを備え、該トイレ部３の高さとほぼ同じ高さに設定された前記処理部４は、前記汚水槽７からの汚水が上部から導入されるとともに該導入された汚水である処理水を下方に流動させる過程で浄化する浄化槽１４と、該浄化槽１４の真下側に配置された処理水槽１５とを一体的に備え、浄化槽１４で浄化された処理水である上記浄水を処理水槽１４に落下させて貯蔵するとともに、処理水槽１５を貯水槽６に還元する。【選択図】図１
2011252293.tif 000002
【特許請求の範囲】
【請求項１】
基台（２）上にトイレ部（３）及び処理部（４）を互いが隔てられるようにして隣接配置し、前記トイレ部（３）は、便器（５）から排出される汚水を回収する汚水槽（７）と、浄化された浄水を便器（５）に給水する前に貯蔵する貯水槽（６）とを備え、該トイレ部（３）の高さとほぼ同じ高さに設定された前記処理部（４）は、前記汚水槽（７）からの汚水が上部から導入されるとともに該導入された汚水である処理水を下方に流動させる過程で浄化する浄化槽（１４）と、該浄化槽（１４）の真下側に配置された処理水槽（１５）とを一体的に備え、浄化槽（１４）で浄化された処理水である上記浄水を処理水槽（１４）に落下させて貯蔵するとともに、処理水槽（１５）を貯水槽（６）に還元する循環式簡易トイレ。
【請求項２】
前記浄化槽（１４）を隣接状態で水平方向に複数並列配置した請求項１に記載の循環式簡易トイレ。
【請求項３】
複数の浄化槽（１４）の処理水の流路が直列的に接続されるように、隣接する浄化槽（１４）の一方側下部から他方側上部に向かって処理水を供給するポンプ（２２）を設け、最下流側の浄化層（１４）から処理水槽（１５）に浄水を落下供給する請求項２に記載の循環式簡易トイレ。
【請求項４】
貯水槽（６）をトイレ部（３）の天井側に設けた請求項１乃至３に記載の循環式簡易トイレ。
【発明の詳細な説明】
【技術分野】
【０００１】
本発明は、循環式簡易トイレに関する。
【背景技術】
【０００２】
循環式簡易トイレには、災害時の避難場所や野営地において使用されるものがあり、この場合の構成として、外部から水道水などの新たな洗浄水の供給を必要としない、いわゆる、自己完結型と称される形式が知られている。
【０００３】
循環式簡易トイレの構成には、便器下方に配置された汚水槽に隣接させて貯水槽が配置され、汚水槽内にて浄化された浄水をポンプにより貯水槽内に導入し、貯水槽内から便器に向けて浄水を供給できる構成が知られている（例えば、特許文献１）。
【０００４】
この構成では、貯水槽から便器に接続されている配管構造を対象として、貯水槽の浄水の水位を、便器の洗浄水供給位置よりも高い位置に設定し、サイホン現象を利用して貯水槽から便器に浄水を供給する。
【０００５】
一方、特許文献１に開示された構成と違って、汚水の浄化処理を専門に行う箇所を便器が配置されているトイレ棟とは別に設けた構成も提案されている（例えば、特許文献２）。
【０００６】
特許文献２においては、便器およびこれの下方に便器から排出される汚水を収容するタンクを設けたトイレ棟に加えて、タンクから導入される汚水を曝気処理により浄化する複数の浄化槽と、浄化された浄水を貯蔵する貯水槽とを縦方向に並べ、これら各槽の近傍には浄化槽からの浄水を濾過処理して貯水槽に導入する濾過槽および便器に導入される前の浄水を通過させて脱臭する脱臭装置をそれぞれ備えた処理棟を設けた構成が開示されている。
【先行技術文献】
【特許文献】
【０００７】
【特許文献１】特開２００７−３２７２５９号公報
【特許文献２】特開２００２−１０２８７４号公報
【発明の概要】
【発明が解決しようとする課題】
【０００８】
この種の循環式簡易トイレは、便器および便器から回収された汚水を浄化する浄化槽、そして浄化された浄水を貯留する貯水槽が必要となる。
特許文献１に開示された構成では、便器下方に設けられている汚水槽が浄化槽として兼用され、該浄化槽において便器から回収された汚水の全てを浄化処理する構成であるので、浄化槽のサイズがきわめて大きくなる虞がある。このため、便器が設けられている床までの高さが高くなることもあり、身体の不自由な使用者にとって使い勝手が悪くなることがある。
しかも、貯水槽から便器に向けた配管の途中が、汚水を収容している浄化槽内を通過することから、その通過部分での隔絶処理が十分でないと貯水槽に汚水が入り込む虞がある。
【０００９】
一方、便器が設けられているトイレ棟とは別に浄化槽が設けられている処理棟を備えた場合には、上述した問題が生じにくい反面、複数の浄化槽および濾過槽を用いることから、設置する対象部材が多くなるとともに、これら各槽に対する空気導入ブロワやこれら各槽への流路を形成する配管およびポンプの取り付けが必要となる。このため、部品コストの上昇や組み立てコストの上昇を招く虞がある。
【００１０】
特に、この種の循環式簡易トイレは常設するものではないので、その設置スペースも限られることが多く、省スペースで高効率の浄化を望まれることが多い。
【００１１】
本発明の目的は、上記した従来の循環式簡易トイレにおける問題に鑑み、設置スペースの大型化の防止および部品点数の低減が可能な構成を備えた循環式簡易トイレを提供することにある。
【課題を解決するための手段】
【００１２】
上記課題を解決するための循環式簡易トイレは第１に、基台２上にトイレ部３及び処理部４を互いが隔てられるようにして隣接配置し、前記トイレ部３は、便器５から排出される汚水を回収する汚水槽７と、浄化された浄水を便器５に給水する前に貯蔵する貯水槽６とを備え、該トイレ部３の高さとほぼ同じ高さに設定された前記処理部４は、前記汚水槽７からの汚水が上部から導入されるとともに該導入された汚水である処理水を下方に流動させる過程で浄化する浄化槽１４と、該浄化槽１４の真下側に配置された処理水槽１５とを一体的に備え、浄化槽１４で浄化された処理水である上記浄水を処理水槽１４に落下させて貯蔵するとともに、処理水槽１５を貯水槽６に還元することを特徴としている。
【００１３】
第２に、前記浄化槽１４を隣接状態で水平方向に複数並列配置したことを特徴としている。
【００１４】
第３に、複数の浄化槽１４の処理水の流路が直列的に接続されるように、隣接する浄化槽１４の一方側下部から他方側上部に向かって処理水を供給するポンプ２２を設け、最下流側の浄化層１４から処理水槽１５に浄水を落下供給することを特徴としている。
【００１５】
第４に、貯水槽６をトイレ部３の天井側に設けたことを特徴としている。
【発明の効果】
【００１６】
本発明によれば、トレイ部と仕切られて設けられている処理部の浄化槽に、上部から処理水が導入され、該処理水が浄化槽内を下方に流動する過程で浄化されて浄水になり、浄化槽と一体的に設けられた処理水槽に直接貯蔵されるので、処理部内に水を流動させるための流路を形成する必要やポンプを別途設置する必要が無く、構成を簡略化して省スペース化させることが可能となる。
【００１７】
また、浄化槽の構成として、隣接状態で複数並列配置された浄化槽の流路同士を直列的に連結すれば、省スペース化と、浄化処理性能の向上とを容易に両立できる。
【図面の簡単な説明】
【００１８】
【図１】本発明による循環式簡易トイレの組み立て状態での要部構成を示す正面図である。
【図２】本発明による循環式簡易トイレの組み立て状態での要部構成を示す側面図である。
【図３】本発明による循環式簡易トイレの組み立て状態での要部構成を示す平面図である。
【図４】（Ａ）,（Ｂ）は、それぞれ本発明の別実施形態を模式的に示す処理部の概念図である。
【発明を実施するための形態】
【００１９】
以下、図面により本発明の実施の形態について説明する。
図１は、本発明による循環式簡易トイレ１の組み立て状態での正面図であり、同図において、循環式簡易トイレ１は、方形厚板状の基台２上に設置されたトイレ部３と、基台２上に設置された処理部４とを備え、トイレ部３及び処理部４は互いに内部の空間が隔てられた状態で（図示する例では、トイレ棟３と処理棟４とに別体成形された状態で）、隣接配置されている。
【００２０】
トイレ部２は、天井３Ａ、床板３Ｂおよび周囲の壁部で囲まれた空間を備えており、空間内で床板３Ｂ側には便器５が設置されている。
便器５が設置されている空間の一部（具体的には便器５の背面側）は、背板３Ｃによって使用者が入り込む空間と仕切られた背面空間とされており、背面空間の上部には棚板３Ｄが設置され、棚板３Ｄ上には、天井３Ａに近接するようにして貯水槽６が載置されている。なお、使用者が入り込める空間における背板３Ｃと便器５を挟んで対向する壁面には、図３に示すように開閉ドア３Ｅが開閉自在に設けられている。
【００２１】
上記貯水槽６は、後述する処理部４から浄化処理された浄水を貯蔵する部分であり、便器５の上方側近傍に配置された貯水タンク５Ａに浄水を補給するように構成されている。該貯水タンク５Ａは、使用者の使用時おいて、便器５に洗浄水を適宜供給可能なように構成されている。
【００２２】
トイレ部３において、便器５が設置されている床板３Ｂの下方には便器５から排出される汚水を回収する汚水槽７が設けられている。
【００２３】
汚水槽７には、固形分と汚水とを分別する分離部材８が配置され、分離部材８の近傍、詳しくは、便器５から直接汚水が流れ込む位置を外れた位置に、後述する処理部４の上部に向けて汚水を給送するための給水ポンプ９が浸漬されている。給水ポンプ９には、処理部４の上部から汚水を吐出する開口を備えた配管１０が接続されている。
【００２４】
この汚水槽６には、該汚水槽６の汚水の水位を検出する水位センサ１１が設置されている。図示する例では、該水位センサ１１として、周知構造のフロートを用いたリミットセンサが用いられている（図１中、二点鎖線で示す位置は汚水槽７内での最低限界水位に位置する状態を示している）。
【００２５】
汚水槽７内には、微生物生息有機質濾過材として用いられる大鋸屑等の木材チップと処理媒質としての微生物媒体剤が分散されている。
【００２６】
この汚水槽７の内部に対して、トイレ部３に設けられている給気ブロワ１２に接続された給気管１３から空気が供給され、この空気によって汚水槽７内の汚水が対流し、炭酸ガスと水とに分解処理される。上述した微生物生息有機質微生物として用いられる木材チップおよび微生物処理媒体としては、例えば本願発明者の先願である特開２００６−３２６３８６号公報に示されたもの又はこれに相当する機能を有するものが使用される。
【００２７】
一方、処理部４は、上述したようにトイレ部２の空間と隔壁などによって仕切られた状態で隣接する空間を形成し、トレイ部２の高さとほぼ同じ高さ（図１中、符号Ｈで示す高さ）の空間高さを有している。このため、トイレ部２と処理部４とは一体的に形成されている。
【００２８】
処理部４の内部は、汚水層７内から前記背面空間を通過してトイレ棟２と処理棟４との間を掛け渡された後に処理部４内の天井側に至る上述の配管１０によって、汚水槽６の内部（具体的には浄化槽１４の上部）と連通（接続）している。そして、供給ポンプ９を駆動させることにより汚水槽７内の汚水が、配管１０を通って処理部４側に供給される。この供給された汚水である処理水を浄化して浄水とする浄化槽（浄化部）１４と、浄化槽１４内で浄化された浄水が流下して落下する位置に配置されている処理水槽１５とが処理部４には設けられている。
【００２９】
浄化槽１４は、上述の構成によって上方側から汚水が導入され、下方に流動する過程で浄化処理するように構成されている。浄化された処理水である浄水は、浄化槽１４の真下側に配置され且つ浄化槽１４と一体的に形成された処理水槽１５へ流下し貯蔵される。
【００３０】
処理水槽１５の浄水内には返送ポンプ１７が浸漬され、この返送ポンプ１７には配管１８が接続されている。この配管１８は、トイレ棟２と処理棟４の間のスペースを上下方向に延びて貯水槽６内の上端部にまで延出されている。そして、返送ポンプ１７を駆動させることにより、処理水槽１５内の浄水が、配管１８を通って、洗浄水として貯水槽６内に戻される（還元される）。
【００３１】
また、上下が開放された縦筒状（図示する例では平断面視円形リング状の縦筒）の浄化槽１４は、外壁（図示しない）と内壁１４Ａとを有する二重壁構造のタンクによって構成されている。内壁１４Ａはパンチングメタルや網状部材（本例ではパンチングメタル１４Ａ）によって構成され、浄化槽１４内二重壁間に通水性とともに通気性を確保している。ちなみに、浄化槽の外径を１０００ｍｍ、高さを３ｍ前後とし、前述した汚水槽７内に用いられる木材チップおよび微生物媒体剤が合計約３ｍ３程度、混合された状態で導入され、図示しない給気機構を介した曝気によって、好気性発酵処理を行わせ、処理水の浄化処理を行う。
【００３２】
さらに、処理水槽１５から貯水槽６に向けて給水する返送ポンプ１７は、汚水槽７とは別の位置に設けられ、貯水槽６に至る配管１８が汚水槽７の外側に位置しているので、汚水槽７と処理水槽１５とが連通する虞がなく、処理水槽１５内の浄水が汚濁されることがない。
【００３３】
なお、該構成の浄化槽１４は、処理部４のトイレ部３側壁面に沿って水平方向に複数（図示する例では２つ）配置されており、この複数の浄化層１４真下側全体に亘りに単一の処理水槽１５が配置されている。また上述の水位センサ１１によって検出される汚水槽１４の水位に応じて、給水ポンプ９及び返送ポンプ１７の駆動を制御し、汚水槽７と処理水槽１５の水位が最適に保持される。
【００３４】
該構成の循環式簡易トイレ１の作用について順を追って説明すると、便器５から排出された汚水が汚水槽７に回収される。
汚水槽７では、給気管１３からの曝気により汚水が対流されながら好気性発酵処理され、必要に応じて発酵促進用の微生物等の発酵補助剤を添付供給してもよい。
汚水槽７内の汚水は、給水ポンプ９により配管１０内を流通して処理部４の浄化槽１４上部に給送される。
【００３５】
上述のようにして、浄化槽１４の上部から汚水が処理水として導入されると、浄化槽１４内を流下し、この落差を利用して流下する過程において木材チップおよび微生物媒体剤と給気による曝気処理によって好気性発酵が促進されて浄化処理され、浄化処理された浄水が浄化槽１４の下部に位置する処理水槽１５に向けて流れ落ちる。
処理水槽１５に流れ落ちた浄水は返送ポンプ１７および配管１８を介して貯水槽６に向け返送され、貯水タンク５Ａ内への補給に用いられる。
【００３６】
以上の構成では、処理部４がトイレ部２の高さとほぼ同等となるように設定されており、この高さによって浄化槽１４での処理水の処理長さをより長く確保することができるので、浄化槽内に複数の流通路を配置する場合に比べて構成を簡単にすることができる。
【００３７】
特に、浄化槽１４内では、処理水を下方に流動させる過程でのみ浄化処理を行い、処理中の処理水を上方側に流動させる必要がないため、水を上昇させる流路を浄化槽１４内に形成させる必要が無く、処理水を上方側に圧送するポンプが設ける必要も無い。
【００３８】
また、浄化槽１４にて分解処理された浄水は、落下した位置に配置されている処理水槽１５からトイレ部２の貯水槽６に向けて直接、給水されるので、浄化槽１４内に複数の流路を形成する場合と違って、各流路を形成するためのパイプや、流路を切換える切換弁等が不要になるばかりでなく、浄化処理された処理水が処理部４内を流動するため、流動性も良い。
【００３９】
なお、貯水槽６や汚水槽７や処理水槽１５に予め水を補充してもよいし、十分な処理機能を確保するための温度管理を行うことも可能である。また、設置スペースの大型化が抑制されるので、基台２に車輪などを取り付けて移動させるようにすることも可能である。
【００４０】
次に、図４に基づき本発明の別実施形態について上述の例と異なる点を説明する。
図４（Ａ）,（Ｂ）は、それぞれ本発明の別実施形態を模式的に示す処理部４の概念図である。同図に示すように、複数の浄化槽１４の流路が直列的に接続されるように、隣接する浄化槽１４同士を配管１９によって接続させる。
【００４１】
具体的には、隣接する浄化槽１４，１４において、処理水上流側（以下、単に「上流側」）の浄化槽１４の下部に、浄化され下方に流動する処理水を受止める集水部２１が形成され、該集水部２１から処理水下流側（以下、単に「下流側」）の浄化槽１４の上部に上記配管１９が延出され、この配管１９の中途部（具体的には処理部４の上部側）に再給水ポンプ２２が設置される他、最下流側の浄化槽１４を流下して浄化された処理水である浄水が処理水槽１５に落下供給されるように該浄化槽１４に処理水槽１５が直接接続されている。
【００４２】
そして、最上流側の浄化槽１４に対して汚水槽７からの汚水が槽上部に導入され、下方に流動する過程で浄化処理され、集水部２１に集水され、配管１９及び再給水ポンプ２２によって、隣接する浄化槽１４の上部に送られる。浄化槽１４が３つ以上設けられている場合には、この処理工程を繰返し、最下流側の浄化槽１４の上部まで処理水が順次送られていく。該最下流側の浄化槽１４では、処理部が流下する過程で浄化され浄水となり、処理水槽１５に直接的に落下供給される。
【００４３】
ちなみに、図４（Ａ）では、複数の浄化槽１４全体の真下側全体に亘り処理水槽１５が一体的に配置されているため、最下流側の浄化槽１４以外の浄化槽１４については、処理水の流路長が集水部２１分短くなるが、その分、処理水槽１５の収容量を多くすることが可能になる。一方、同図（Ｂ）では、最下流側に配された浄化槽１４の真下側にのみ処理水槽１５を配置しているため、処理水槽１５の体積は狭くなるが、全ての浄化槽１４における処理水の流路長を同一程度長くできる。
【００４４】
以上のような構成では、処理部４のスペースを拡大することなく、複数の浄化槽１４での合計流路長を長くすることが可能になるため、浄化処理性能の向上と、処理部４の省スペース化を両立可能になる。
【符号の説明】
【００４５】
１  循環式簡易トイレ
２  基台
３  トイレ部（トイレ棟）
４  処理部（処理棟）
５  便器
６  貯水槽
７  汚水槽
１４  浄化槽
１５  処理水槽
２２  再給送ポンプ（ポンプ）
【図１】
2011252293.tif 000003
【図２】
2011252293.tif 000004
【図３】
2011252293.tif 000005
【図４】
2011252293.tif 000006